(57)【要約】【課題】ユーザが登録した複数の商品の中から所望の商品を容易に見つけ出すことが可能な情報を提供することができる情報提供装置、情報提供方法、および情報提供プログラムを提供すること。【解決手段】本願に係る情報提供装置は、取得部と、表示制御部とを備える。取得部は、通信ネットワークに接続されるショッピングサイトのコンテンツに含まれる複数の商品画像の中から、端末装置のユーザによって選択された複数の商品画像に関する情報を取得する。表示制御部は、ユーザによって選択された各商品画像を商品画像中の商品に対するユーザの関心度合いに応じたサイズにした画像集情報を端末装置に表示させる。【選択図】図１
2018049322.tif 000002
【特許請求の範囲】
【請求項１】
通信ネットワークに接続されるショッピングサイトのコンテンツに含まれる複数の商品画像の中から、端末装置のユーザによって選択された複数の商品画像に関する情報を取得する取得部と、
前記ユーザによって選択された各前記商品画像を当該商品画像中の商品に対する前記ユーザの関心度合いに応じたサイズにした画像集情報を前記端末装置に表示させる表示制御部と
を備えることを特徴とする情報提供装置。
【請求項２】
前記取得部は、
前記ユーザによって入力される前記関心度合いを示す情報を取得する
ことを特徴とする請求項１に記載の情報提供装置。
【請求項３】
前記表示制御部は、
前記ユーザによって前記商品画像が選択される度に、前記画像集情報における前記商品画像のサイズを変更する
ことを特徴とする請求項１または請求項２に記載の情報提供装置。
【請求項４】
前記表示制御部は、
前記ユーザによって前記商品画像が選択されてからの経過時間に応じて、当該商品画像の前記画像集情報におけるサイズを変更する
ことを特徴とする請求項１〜３のいずれか一つに記載の情報提供装置。
【請求項５】
前記表示制御部は、
前記ユーザによって同一の前記商品画像が選択される回数に応じて、当該商品画像の前記画像集情報におけるサイズを変更する
ことを特徴とする請求項１〜４のいずれか一つに記載の情報提供装置。
【請求項６】
前記表示制御部は、
前記ユーザによって選択された複数の前記商品画像をカテゴリ毎に分類し、カテゴリ毎の前記画像集情報を前記端末装置によって表示させる
ことを特徴とする請求項１〜５のいずれか一つに記載の情報提供装置。
【請求項７】
前記表示制御部は、
前記ユーザによって選択された前記商品画像の数が所定数に達した場合に、複数の前記商品画像をカテゴリ毎に分類する
ことを特徴とする請求項６に記載の情報提供装置。
【請求項８】
前記表示制御部は、
前記通信ネットワークを介して、前記画像集情報を前記ユーザ以外のユーザの端末装置に表示させる
ことを特徴とする請求項１〜４のいずれか一つに記載の情報提供装置。
【請求項９】
コンピュータが実行する情報提供方法であって、
通信ネットワークに接続されるショッピングサイトのコンテンツに含まれる複数の商品画像の中から、端末装置のユーザによって選択された複数の商品画像に関する情報を取得する取得工程と、
前記ユーザによって選択された各前記商品画像を当該商品画像中の商品に対する前記ユーザの関心度合いに応じたサイズにした画像集情報を前記端末装置に表示させる表示制御工程と
を含むことを特徴とする情報提供方法。
【請求項１０】
通信ネットワークに接続されるショッピングサイトのコンテンツに含まれる複数の商品画像の中から、端末装置のユーザによって選択された複数の商品画像に関する情報を取得する情報取得手順と、
前記ユーザによって選択された各前記商品画像を当該商品画像中の商品に対する前記ユーザの関心度合いに応じたサイズにした画像集情報を前記端末装置に表示させる表示制御手順と
をコンピュータに実行させることを特徴とする情報提供プログラム。
【発明の詳細な説明】
【技術分野】
【０００１】
本発明は、情報提供装置、情報提供方法、および情報提供プログラムに関する。
【背景技術】
【０００２】
従来、インターネット等の通信ネットワークを使用して商品を販売するショッピングサイトがある。ショッピングサイトは、顧客となるユーザの端末装置へ複数の商品の情報を含むコンテンツを配信して表示させる。ユーザは、端末装置に表示されるコンテンツに含まれる複数の商品の中から所望の商品を選択し、所定の決済処理を行うことにより、商品を購入することができる。
【０００３】
このようなショッピングサイトのコンテンツを配信する装置として、関心を持った商品をその都度ユーザに登録してもらい、過去に登録された複数の商品をリスト形式でユーザへ提供する装置がある。
【先行技術文献】
【特許文献】
【０００４】
【特許文献１】特開２０１３−１１４５６７号公報
【発明の概要】
【発明が解決しようとする課題】
【０００５】
しかしながら、過去に登録された複数の商品をリスト形式でユーザへ提供する装置は、ユーザによって登録される商品の数が増加すると、ユーザが過去に登録した複数の商品の中から所望する商品を見つけ出すことが困難になる。
【０００６】
本発明は、上記に鑑みてなされたものであって、ユーザが登録した複数の商品の中から所望の商品を容易に見つけ出すことが可能な情報を提供することができる情報提供装置、情報提供方法、および情報提供プログラムを提供することを目的とする。
【課題を解決するための手段】
【０００７】
本願に係る情報提供装置は、取得部と、表示制御部とを備える。取得部は、通信ネットワークに接続されるショッピングサイトのコンテンツに含まれる複数の商品画像の中から、端末装置のユーザによって選択された複数の商品画像に関する情報を取得する。表示制御部は、前記ユーザによって選択された各前記商品画像を当該商品画像中の商品に対する前記ユーザの関心度合いに応じたサイズにした画像集情報を前記端末装置に表示させる。
【発明の効果】
【０００８】
本願に係る情報提供装置、情報提供方法、および情報提供プログラムは、ユーザが登録した複数の商品の中から所望の商品を容易に見つけ出すことが可能な情報を提供することができる。
【図面の簡単な説明】
【０００９】
【図１】図１は、実施形態に係る情報提供方法の説明図である。
【図２】図２は、実施形態に係る情報提供システムの構成例を示す図である。
【図３】図３は、実施形態に係る情報提供装置の構成例を示す図である。
【図４】図４は、実施形態に係るお気に入り情報記憶部によって記憶される情報の一例を示す説明図である。
【図５】図５は、実施形態に係る店舗サーバ装置の構成例を示す図である。
【図６】図６は、実施形態に係るユーザ端末装置の構成例を示す図である。
【図７】図７は、実施形態に係るショッピングサイトのコンテンツの表示例を示す説明図である。
【図８】図８は、実施形態に係るお気に入りのコンテンツの表示例を示す説明図である。
【図９】図９は、実施形態に係るお気に入りのコンテンツの公開手順を示す説明図である。
【図１０】図１０は、実施形態に係る情報提供装置の制御部が実行する処理を示すフローチャートである。
【図１１】図１１は、情報提供装置の機能を実現するコンピュータの一例を示すハードウェア構成図である。
【発明を実施するための形態】
【００１０】
以下に、本願に係る情報提供装置、情報提供方法、および情報提供プログラムの実施形態について図面を参照しつつ詳細に説明する。なお、この実施形態により本願に係る情報提供装置、情報提供方法、および情報提供プログラムが限定されるものではない。また、以下の実施形態では、同一の構成要素については同一の符号を付することにより、重複する説明を省略する。
【００１１】
［１．情報提供方法］
まず、図１を参照し、実施形態に係る情報提供装置が行う情報提供方法について説明する。図１は、実施形態に係る情報提供方法の説明図である。情報提供装置は、通信ネットワークに接続されるショッピングサイトのコンテンツに含まれる複数の商品の中から、ショッピングサイトのユーザによって選択された複数の商品に関する情報の登録を受け付ける。
【００１２】
情報提供装置は、登録を受付けた複数の商品に関する情報を所定の参照リスト（例えば、各ユーザ専用のお気に入りのリスト（以下、単に「お気に入り」と記載する））に登録する。お気に入りに登録される商品の情報は、例えば、商品の画像（以下、「商品画像」と記載する）のＵＲＬ（Uniform  Resource  Locator）、後述する商品コード、商品名や商品の価格を示すテキスト情報等が含まれる。
【００１３】
このため、情報提供装置がユーザ端末装置からお気に入りの提供要求を受付けた場合に、お気に入りに登録された商品の情報をそのまま、お気に入り情報として提供すると、例えば図１に（ａ）で示すようなお気に入り情報Ｄ１がユーザ端末装置に表示される。
【００１４】
図１に（ａ）で示す例では、スカートＡの商品情報ｄ１、パンプスＣの商品情報ｄ２、シャツＥの商品情報ｄ３、スカートＢの商品情報ｄ４、バッグＦの商品情報ｄ５、およびシューズＤの商品情報ｄ６等を含むお気に入り情報Ｄ１がユーザ端末装置に表示される。
【００１５】
商品情報ｄ１には、スカートＡの商品画像ｐ１、商品名、および価格が含まれる。商品情報ｄ２には、パンプスＣの商品画像ｐ２、商品名、および価格が含まれる。商品情報ｄ３には、シャツＥの商品画像ｐ３、商品名、および価格が含まれる。商品情報ｄ４には、スカートＢの商品画像ｐ４、商品名、および価格が含まれる。商品情報ｄ５には、バッグＦの商品画像ｐ５、商品名、および価格が含まれる。商品情報ｄ６には、シューズＤの商品画像ｐ６、商品名、および価格が含まれる。
【００１６】
このように、登録された商品情報が単純に羅列されたお気に入り情報Ｄ１がユーザ端末装置に提供されると、ユーザ端末装置のユーザは、登録した商品の数が増加した場合に、複数の商品の中から所望の商品を容易に見つけ出すことが困難になる。
【００１７】
そこで、情報提供装置は、ショッピングサイトのコンテンツに含まれる複数の商品画像の中から、ユーザ端末装置のユーザによって選択された複数の商品画像に関する情報を取得する。
【００１８】
そして、情報提供装置は、ユーザによって選択された各商品画像を、その商品画像中の商品に対するユーザの関心度合いに応じたサイズにした画像集情報をユーザ端末装置に表示させる表示制御を行う。
【００１９】
例えば、情報提供装置は、図１に（ｂ）で示すお気に入り情報をユーザ端末装置に表示させる。具体的には、情報提供装置は、図１に（ａ）で示すお気に入り情報Ｄ１の中で、ユーザの関心度合いが最も高い商品がスカートＡであった場合に、スカートＡの商品画像ｐ１の表示サイズをお気に入り情報Ｄ２の表示領域の中で最大のサイズにする。
【００２０】
また、情報提供装置は、お気に入り情報Ｄ２の中で、ユーザの関心度合いが２番目に高い商品がパンプスＣであった場合に、パンプスＣの商品画像ｐ２の表示サイズをお気に入り情報Ｄ２の表示領域の中で２番目に大きいサイズにする。
【００２１】
また、情報提供装置は、お気に入り情報Ｄ２の中で、ユーザの関心度合いが３番目に高い商品がシャツＥであった場合に、シャツＥの商品画像ｐ３の表示サイズをお気に入り情報Ｄ２の表示領域の中で３番目に大きいサイズにする。なお、ユーザの商品に対する関心度合いを示す情報の取得手順の一例については、図７を参照して後述する。
【００２２】
このように、情報提供装置は、例えば、商品カタログや雑誌の紙面等のような表示態様で、ユーザの関心度合いが高かった商品ほど商品画像の表示サイズを大きくした画像集情報をユーザのお気に入り情報Ｄ２としてユーザ端末装置に表示させることができる。これにより、ユーザは、お気に入り情報Ｄ２に登録した複数の商品の中から、特に関心度合いの高かった所望の商品を容易に見つけ出すことができる。
【００２３】
［２．情報提供システムの構成］
次に、図２を参照し、実施形態に係る情報提供システムの構成について説明する。図２は、実施形態に係る情報提供システム１００の構成例を示す図である。図２に示すように、情報提供システム１００は、情報提供装置１と、店舗サーバ装置２と、ユーザ端末装置３とを含む。
【００２４】
情報提供装置１、店舗サーバ装置２、およびユーザ端末装置３は、通信ネットワークＮを介して有線または無線により通信可能に接続される。なお、図２に示す情報提供システム１００には、複数台のユーザ端末装置３や、複数台の情報提供装置１や、複数台の店舗サーバ装置２が含まれてもよい。
【００２５】
情報提供装置１は、ユーザ端末装置３にショッピングサイトのコンテンツ（例えば、ウェブページ）を配信するウェブサーバ等である。情報提供装置１によって配信されるコンテンツは、例えば、ＨＴＭＬ（Hyper  Text  Markup  Language）により記述されたＨＴＭＬファイルや、ＸＭＬ（Extensible  Markup  Language）により記述されたＸＭＬファイル等により形成される。
【００２６】
そして、情報提供装置１によって配信されるコンテンツには、コンテンツの表示態様を制御する制御情報が含まれる。この制御情報は、例えば、ＪａｖａＳｃｒｉｐｔ（登録商標）やＣＳＳ（Cascading  Style  Sheets）等のスクリプト言語により、ウェブページを形成するＨＴＭＬファイル等に記述される。
【００２７】
また、情報提供装置１は、ユーザ端末装置３からユーザがお気に入り情報Ｄ２に登録を望む商品情報の入力を受付け、ユーザのお気に入り情報に登録する。そして、情報提供装置１は、ユーザ端末装置３からお気に入り情報Ｄ２の提供要求を受付けた場合、商品画像中の商品に対するユーザの関心度合いに応じたサイズにした画像集情報のコンテンツをユーザのお気に入り情報Ｄ２として、ユーザ端末装置３へ配信する。
【００２８】
また、情報提供装置１によって配信されるコンテンツには、画像取得命令が含まれる。例えば、コンテンツを形成するＨＴＭＬファイル等には、店舗サーバ装置２のＵＲＬや商品コード等が画像取得命令として記述される。この場合、ユーザ端末装置３は、ＨＴＭＬファイル等に記述されているＵＲＬにアクセスすることで、店舗サーバ装置２から商品コードに対応する商品の画像情報を含む商品に関する情報（以下、「商品情報」と記載することがある）を取得する。
【００２９】
店舗サーバ装置２は、ショッピングサイトに出品する商品を販売する店舗によって利用されるサーバ装置である。店舗サーバ装置２は、店舗の従業員による操作にしたがって、商品情報を情報提供装置１に入稿する。
【００３０】
例えば、店舗サーバ装置２は、商品情報として、商品コードや、商品の静止画像や、動画像や、商品の説明や金額を記載したテキストデータや、店舗サーバ装置２によって配信される店舗ページにアクセスするためのＵＲＬなどを情報提供装置１に入稿する。店舗サーバ装置２は、ユーザ端末装置３によってショッピングサイトのコンテンツから商品が選択される場合に、商品の購入ページを含むコンテンツをユーザ端末装置３に配信する。
【００３１】
ユーザ端末装置３は、ショッピングサイトのコンテンツを閲覧するユーザによって利用される情報処理装置である。例えば、ユーザ端末装置３は、スマートフォン等の携帯電話機や、タブレット端末や、ＰＤＡ（Personal  Digital  Assistant）や、デスクトップ型ＰＣ（Personal  Computer）や、ノート型ＰＣ等である。
【００３２】
ユーザ端末装置３は、ユーザによる操作にしたがって、情報提供装置１からコンテンツを取得し、取得したコンテンツを表示する。例えば、ユーザ端末装置３は、ショッピングサイトのコンテンツやお気に入り情報Ｄ２のコンテンツ等を情報提供装置１から取得して表示する。
【００３３】
また、ユーザ端末装置３は、コンテンツに画像取得命令が含まれる場合には、店舗サーバ装置２から商品情報を取得し、取得した商品情報に含まれる商品の画像情報をコンテンツとともに表示する。
【００３４】
［３．情報提供装置の構成］
次に、図３を参照し、実施形態に係る情報提供装置１の構成について説明する。図３は、実施形態に係る情報提供装置１の構成例を示す図である。図３に示すように、情報提供装置１は、通信部１１と、制御部１２と、お気に入り情報記憶部１３と、コンテンツ記憶部１４を有する。
【００３５】
通信部１１は、例えば、ＮＩＣ（Network  Interface  Card）等によって実現される。そして、通信部１１は、通信ネットワークＮと有線または無線で接続され、店舗サーバ装置２やユーザ端末装置３との間で情報の送受信を行う。
【００３６】
お気に入り情報記憶部１３およびコンテンツ記憶部１４は、例えば、ＲＡＭ（Random  Access  Memory)、フラッシュメモリ（Flash  Memory）等の半導体メモリ素子、または、ハードディスク、光ディスク等の記憶装置によって実現される。
【００３７】
そして、お気に入り情報記憶部１３は、ユーザによってお気に入りに登録された商品に関する情報をユーザ毎に記憶する。ここで、図４を参照し、お気に入り情報記憶部１３によって記憶される情報の一例について説明する。図４は、実施形態に係るお気に入り情報記憶部１３によって記憶される情報の一例を示す説明図である。
【００３８】
図４に示すように、お気に入り情報記憶部１３は、例えば、ユーザＩＤが０００１のユーザに関する情報として、登録された商品毎に、商品コード、商品名、登録日、商品画像ＵＲＬ、閲覧回数、使用時期、カテゴリ、関心度、および画像サイズを記憶する。
【００３９】
商品コードは、例えば、商品を販売する店舗側が出品する各商品に対して付与する商品固有の識別情報である。商品名は、ユーザによってお気に入りに登録された商品の名称を示す情報である。登録日は、ユーザによって商品がお気に入りに登録された年月日を示す情報である。商品画像ＵＲＬは、ユーザによってお気に入りに登録された商品の商品画像が保管されているウェブ上の場所を示す情報である。
【００４０】
閲覧回数は、ユーザによってお気に入りに登録された商品の商品画像がユーザによって選択されて閲覧された回数を示す情報である。使用時期は、ユーザによってお気に入りに登録された商品の使用時期（例えば、季節）を示す情報である。
【００４１】
また、カテゴリは、ユーザによってお気に入りに登録された商品を大別した種別を示す情報である。関心度は、ユーザによってお気に入りに登録された商品に対するユーザの関心度合いの高さを示す情報である。画像サイズは、情報提供装置１がお気に入り情報をユーザ端末装置３に表示させる場合の商品画像の表示サイズを示す情報である。
【００４２】
図３へ戻り、コンテンツ記憶部１４は、ショッピングサイトのコンテンツやお気に入り用のコンテンツを記憶する。例えば、コンテンツ記憶部１４は、コンテンツを形成するＨＴＭＬファイルや、後述するショッピングサイトのコンテンツＣ１、店舗コンテンツＣ２、およびお気に入りのコンテンツＣ３（図７、図８参照）等の静止画像や動画像を記憶する。
【００４３】
コンテンツ記憶部１４に記憶されるコンテンツには、商品情報を取得するための画像取得命令が含まれる。また、コンテンツ記憶部１４に記憶されるコンテンツには、ＪａｖａＳｃｒｉｐｔ（登録商標）やＣＳＳ等のスクリプト言語によりに記述されるプログラムである制御情報が含まれる。
【００４４】
ここで、コンテンツに含まれる制御情報による制御について説明する。実施形態に係る制御情報は、例えば、取得手順と、表示制御手順とをユーザ端末装置３に実行させる。
【００４５】
取得手順は、通信ネットワークＮに接続されるショッピングサイトのコンテンツに含まれる複数の商品画像の中から、ユーザ端末装置３のユーザによって選択された複数の商品画像に関する情報を取得する。
【００４６】
表示制御手順は、ユーザによって選択された各商品画像をその商品画像中の商品に対するユーザの関心度合いに応じたサイズにした画像集情報をユーザ端末装置３に表示させる。
【００４７】
制御部１２は、例えば、ＣＰＵ（Central  Processing  Unit）やＭＰＵ（Micro  Processing  Unit）等によって、情報提供装置１内部の記憶装置に記憶されている各種プログラムがＲＡＭを作業領域として実行されることにより実現される。また、制御部１２は、例えば、ＡＳＩＣ（Application  Specific  Integrated  Circuit）やＦＰＧＡ（Field  Programmable  Gate  Array）等の集積回路により実現される。
【００４８】
図３に示すように、制御部１２は、受付部１５と、取得部１６と、表示制御部１７と、配信部１８とを有し、以下に説明する情報処理の機能や作用を実現または実行する。なお、制御部１２の内部構成は、図３に示した構成に限られず、後述する情報処理を行う構成であれば他の構成であってもよい。また、制御部１２が有する各処理部の接続関係は、図３に示した接続関係に限られず、他の接続関係であってもよい。
【００４９】
受付部１５は、ユーザ端末装置３からコンテンツの取得要求を受け付ける。例えば、受付部１５は、ショッピングサイトのコンテンツやお気に入りのコンテンツの取得要求として、ＨＴＴＰリクエストを受け付ける。
【００５０】
受付部１５は、ユーザ端末装置３からコンテンツの取得要求を受け付けた場合に、その旨を示す情報を配信部１８へ出力する。また、受付部１５は、ユーザ端末装置３からお気に入りのコンテンツの取得要求を受付けた場合に、その旨を示す情報を表示制御部１７へ出力する。
【００５１】
また、受付部１５は、ユーザ端末装置３からお気に入りへの商品の登録要求を受け付ける。登録要求には、お気に入りへ登録する商品に関する情報を含む。受付部１５は、登録要求を受け付けた場合に、登録要求に含まれる商品に関する情報を取得部１６へ出力する。
【００５２】
取得部１６は、受付部１５から入力される商品に関する情報をお気に入り情報記憶部１３に記憶させる。例えば、取得部１６は、図４に示す商品コードを示す情報、商品名を示す情報、商品画像ＵＲＬを示す情報、関心度を示す情報をお気に入り情報記憶部１３に記憶させる。
【００５３】
また、取得部１６は、入力される商品に関する情報に含まれる関心度が大の場合に画像サイズとして大を、関心度が中の場合に画像サイズ中を、関心度が低の場合に画像サイズ小をお気に入り情報記憶部１３に記憶させる。また、取得部１６は、商品に関する情報が入力される日時を図４に示す登録日としてお気に入り情報記憶部１３に記憶させる。
【００５４】
また、取得部１６は、入力される商品に関する情報に含まれる商品コードが、既にお気に入り情報記憶部１３に記憶されている場合、お気に入り情報記憶部１３に記憶されている同一商品の閲覧回数に１を加算する。
【００５５】
さらに、取得部１６は、入力される商品に関する情報に含まれるテキスト情報等に基づいて、商品の使用時期やカテゴリを判別し、お気に入り情報記憶部１３に記憶させる。なお、取得部１６は、お気に入り情報記憶部１３に記憶される商品コードの数（登録された商品数）が所定数以上になった場合に、商品にカテゴリや使用時期を付与し、複数の商品をカテゴリや使用時期毎に分類する。
【００５６】
表示制御部１７は、受付部１５からお気に入りのコンテンツの取得要求を受け付けたことを示す情報が入力された場合に、お気に入り情報記憶部１３に記憶された画像サイズを登録日および閲覧回数に応じた画像サイズに変更する。
【００５７】
例えば、表示制御部１７は、画像サイズを閲覧回数に応じて、お気に入り情報記憶部１３に記憶された画像サイズの１．Ｍ倍（Ｍは、例えば、閲覧回数）の大きさに変更する。つまり、表示制御部１７は、閲覧回数が１回増える毎に、商品画像の表示サイズを１０パーセントずつ大きくする。さらに、表示制御部１７は、閲覧回数が多い商品画像ほど手前側に表示されるように、商品画像の表示位置を設定する。
【００５８】
また、表示制御部１７は、画像サイズを登録日に応じて、お気に入り情報記憶部１３に記憶された画像サイズの１−０．Ｎ倍（Ｎは、例えば、登録日から現在までに経過した月数）の大きさに変更する。つまり、表示制御部１７は、登録日から１か月が経過する毎に、商品画像の表示サイズを１０パーセントずつ小さくする。
【００５９】
また、表示制御部１７は、お気に入り情報記憶部１３に関心度が同一の商品画像が複数記憶される場合、登録日が過去の商品画像がより後側（例えば、表示画面の奥側）に表示されるように、商品画像の表示位置を設定する。
【００６０】
そして、表示制御部１７は、お気に入り情報記憶部１３に記憶された各商品の商品コード、商品名、商品画像ＵＲＬ、使用時期、カテゴリを示す情報と、変更後の画像サイズ、および表示位置を示す情報を配信部１８へ出力する。
【００６１】
配信部１８は、受付部１５からショッピングサイトのコンテンツの取得要求が受け付けられたことを示す情報が入力された場合に、コンテンツおよび制御情報をユーザ端末装置３に配信する。具体的には、配信部１８は、コンテンツ記憶部１４から取得要求対象のコンテンツを取得し、取得したコンテンツをユーザ端末装置３に配信する。
【００６２】
また、配信部１８は、受付部１５からお気に入りのコンテンツの取得要求が受付けられたことを示す情報が入力された場合に、お気に入りのコンテンツおよび制御情報をユーザ端末装置３に配信する。配信部１８は、制御情報に表示制御部１７から入力された情報を付加し、お気に入りのコンテンツと合わせてユーザ端末装置３に配信する。
【００６３】
なお、上述したコンテンツ記憶部１４は、制御情報を含むコンテンツではなく、コンテンツと制御情報とを個別に記憶してもよい。例えば、コンテンツ記憶部１４は、コンテンツを形成するＨＴＭＬファイルと、制御情報が記述されたファイルとを対応付けて記憶してもよい。この場合、配信部１８は、コンテンツおよび制御情報の双方をユーザ端末装置３に配信する。
【００６４】
［４．店舗サーバ装置の構成］
次に、図５を参照し、実施形態に係る店舗サーバ装置２の構成について説明する。図５は、実施形態に係る店舗サーバ装置２の構成例を示す図である。図５に示すように、店舗サーバ装置２は、通信部２１と、制御部２２と、商品情報記憶部２３とを有する。
【００６５】
通信部２１は、例えば、ＮＩＣ等によって実現される。そして、通信部２１は、通信ネットワークＮと有線または無線で接続され、情報提供装置１やユーザ端末装置３との間で情報の送受信を行う。
【００６６】
商品情報記憶部２３は、例えば、ＲＡＭ、フラッシュメモリ等の半導体メモリ素子、または、ハードディスク、光ディスク等の記憶装置によって実現される。そして、商品情報記憶部２３は、商品情報を記憶する。
【００６７】
商品情報は、例えば、ショッピングサイトに出品する商品の商品コードや、静止画像や、動画像や、商品の説明や金額を記載したテキストデータや、店舗サーバ装置２によって配信される店舗ページにユーザ端末装置３がアクセスするためのＵＲＬなどである。
【００６８】
制御部２２は、例えば、ＣＰＵやＭＰＵ等によって、店舗サーバ装置２内部の記憶装置に記憶されている各種プログラムがＲＡＭを作業領域として実行されることにより実現される。また、制御部２２は、例えば、ＡＳＩＣやＦＰＧＡ等の集積回路により実現される。
【００６９】
図５に示すように、制御部２２は、受付部２４と、配信部２５とを有し、以下に説明する情報処理の機能や作用を実現または実行する。なお、制御部２２の内部構成は、図５に示した構成に限られず、後述する情報処理を行う構成であれば他の構成であってもよい。また、制御部２２が有する各処理部の接続関係は、図５に示した接続関係に限られず、他の接続関係であってもよい。
【００７０】
受付部２４は、ユーザ端末装置３からから商品情報の取得要求を受け付ける。例えば、受付部２４は、商品情報の取得要求として、ＨＴＴＰリクエストを受け付ける。配信部２５は、受付部２４によって商品情報の取得要求が受け付けられた場合に、取得要求された商品情報を商品情報記憶部２３から抽出する。そして、配信部２５は、商品情報の取得要求を送信したユーザ端末装置３に対して、抽出した商品情報を配信する。
【００７１】
［５．ユーザ端末装置の構成］
次に、図６を参照し、実施形態に係るユーザ端末装置３の構成について説明する。図６は、実施形態に係るユーザ端末装置３の構成例を示す図である。図６に示すように、ユーザ端末装置３は、通信部３１と、制御部３２と、入力部３３と、出力部３４とを有する。
【００７２】
通信部３１は、例えば、ＮＩＣ等によって実現される。そして、通信部３１は、通信ネットワークＮと有線または無線で接続され、情報提供装置１や店舗サーバ装置２との間で情報の送受信を行う。
【００７３】
入力部３３は、ユーザから各種操作を受け付ける入力装置である。例えば、入力部３３は、キーボードやマウスや操作キー等によって実現される。出力部３４は、各種情報を表示するための表示装置である。例えば、出力部３４は、液晶ディスプレイ等によって実現される。なお、ユーザ端末装置３にタッチパネルが採用される場合には、入力部３３と出力部３４とは一体化される。
【００７４】
制御部３２は、例えば、ＣＰＵやＭＰＵ等によって、ユーザ端末装置３内部の記憶装置に記憶されている各種プログラムがＲＡＭを作業領域として実行されることにより実現される。例えば、この各種プログラムは、ウェブブラウザと呼ばれるアプリケーションプログラムに該当する。また、制御部３２は、例えば、ＡＳＩＣやＦＰＧＡ等の集積回路により実現される。
【００７５】
図６に示すように、制御部３２は、要求部３５と、受付部３６と、表示制御部３７とを有し、以下に説明する情報処理の機能や作用を実現または実行する。なお、制御部３２の内部構成は、図６に示した構成に限られず、後述する情報処理を行う構成であれば他の構成であってもよい。また、制御部３２が有する各処理部の接続関係は、図６に示した接続関係に限られず、他の接続関係であってもよい。
【００７６】
要求部３５は、入力部３３を介して受け付けたユーザ操作にしたがって、情報提供装置１にショッピングサイトのコンテンツやお気に入りのコンテンツの取得要求を送信する。また、要求部３５は、受付部３６によって受け付けられたコンテンツに画像取得命令が含まれる場合に、商品情報の取得要求を店舗サーバ装置２に送信する。
【００７７】
受付部３６は、コンテンツを受け付ける。具体的には、受付部３６は、要求部３５によって送信されたコンテンツの取得要求に応答した情報提供装置１からショッピングサイトのコンテンツやお気に入りのコンテンツを受け付ける。このとき、受付部３６は、コンテンツに画像取得命令が含まれる場合には、商品情報の取得要求を送信するよう要求部３５に指示する。そして、受付部３６は、要求部３５によって送信された商品情報の取得要求に応答した店舗サーバ装置２から商品情報を受け付ける。
【００７８】
表示制御部３７は、受付部３６によって受け付けられたコンテンツに含まれる制御情報にしたがって、コンテンツを出力部３４に表示制御する。例えば、表示制御部３７は、例えば、ＣＰＵやＭＰＵ等によって、コンテンツに含まれる制御情報がＲＡＭを作業領域として実行されることにより実現される。すなわち、表示制御部３７は、お気に入りのコンテンツを表示させる場合には、上述した取得手順および表示制御手順によって実現される。
【００７９】
具体的には、表示制御部３７は、通信ネットワークＮに接続されるショッピングサイトのコンテンツに含まれる複数の商品画像の中から、ユーザ端末装置３のユーザによって選択された複数の商品画像に関する情報を取得する。
【００８０】
そして、表示制御部３７は、ユーザによって選択された各商品画像をその商品画像中の商品に対するユーザの関心度合いに応じたサイズにした画像集情報であるお気に入り情報Ｄ２をお気に入りのコンテンツとして出力部３４へ出力して表示させる。
【００８１】
なお、ここでは図示を省略したが、制御部３２は、コンテンツの表示制御の他に、ユーザによって表示中の商品情報等が選択される選択操作が行われたことを示す情報が入力される場合に、所定の商品購入処理を行う購入処理部を備える。かかる購入処理部の動作については、図１０を参照して後述する。
【００８２】
［６．表示制御例（１）］
次に、図７を参照し、実施形態に係る情報提供装置１がユーザ端末装置３の出力部３４に表示させるショッピングサイトのコンテンツの表示例について説明する。図７は、実施形態に係るショッピングサイトのコンテンツの表示例を示す説明図である。
【００８３】
情報提供装置１は、ユーザ端末装置３からコンテンツ配信要求を受け付けると、例えば、図７に（ａ）で示すようなショッピングサイトのコンテンツＣ１をユーザ端末装置３へ配信して表示させる。
【００８４】
コンテンツＣ１は、例えば、シャツＥの商品情報ｄ３、シャツＧの商品情報ｄ７、およびシャツＨの商品情報ｄ８等といった複数の商品の商品情報、およびユーザ端末装置３のユーザがコンテンツ配信停止要求を行うために操作する終了ボタンＢ１を含む。
【００８５】
商品情報ｄ３は、例えば、シャツＥの商品画像ｐ３、商品名、および価格等の情報を含む。商品情報ｄ７は、例えば、シャツＧの商品画像ｐ７、商品名、および価格等の情報を含む。商品情報ｄ８は、例えば、シャツＨの商品画像ｐ８、商品名、および価格等の情報を含む。なお、各商品情報ｄ３，７ｄ，８ｄは、各商品の説明や商品を販売する店舗等を示すテキスト情報等を含んでもよい。
【００８６】
また、コンテンツＣ１は、ユーザ端末装置３のユーザがコンテンツ配信停止要求を行うために操作する終了ボタンＢ１、およびユーザがお気に入りを表示させるためのお気に入り表示操作を行うために操作するお気に入りボタンＢ２を含む。
【００８７】
そして、情報提供装置１は、例えば、ユーザ端末装置３によって、コンテンツＣ１からシャツＥの商品画像を選択する選択操作があった場合、例えば、図７に（ｂ）で示すような店舗コンテンツＣ２を店舗サーバ装置２から取得する。そして、情報提供装置１は、店舗サーバ装置２から取得した店舗コンテンツＣ２をユーザ端末装置３へ配信して表示させる。
【００８８】
店舗コンテンツＣ２は、例えば、シャツＥの拡大された商品画像、商品名、商品に対する他のユーザの評価度合いを示す星マーク、価格、カートに入れるボタンｂ１、およびお気に入りに追加ボタンｂ２等を含む。
【００８９】
カートに入れるボタンｂ１は、ユーザ端末装置３のユーザがシャツＥを購入するための購入操作を行うためのボタンである。お気に入りに追加ボタンｂ２は、ユーザ端末装置３のユーザがシャツＥをお気に入り登録するためのお気に入り追加操作を行うためのボタンである。
【００９０】
さらに、店舗コンテンツＣ２は、関心度高ボタンｂ３、関心度中ボタンｂ４、および関心度低ボタンｂ５を含む。ユーザは、関心度高ボタンｂ３、関心度中ボタンｂ４、および関心度低ボタンｂ５のうち、いずれか一つを選択操作することによって、シャツＥに対する関心度合いの高さを示す情報を情報提供装置１のお気に入り情報記憶部１３に登録することができる。
【００９１】
また、店舗コンテンツＣ２は、表示画面を以前の表示画面に戻すための戻り操作を行うために操作する戻りボタンＢ３を含む。ユーザ端末装置３のユーザは、戻りボタンＢ３を選択操作することによって、表示画面を店舗コンテンツＣ２からショッピングサイトのコンテンツＣ１へ戻すことができる。
【００９２】
［７．表示制御例（２）］
次に、図８を参照し、実施形態に係る情報提供装置１がユーザ端末装置３の出力部３４に表示させるお気に入りのコンテンツの表示例について説明する。図８は、実施形態に係るお気に入りのコンテンツの表示例を示す説明図である。
【００９３】
情報提供装置１は、ユーザ端末装置３からお気に入り表示操作が行われたことを示す情報を受け付けた場合に、例えば、図８に示すようなユーザのお気に入りのコンテンツＣ３をユーザ端末装置３へ配信する。
【００９４】
コンテンツＣ３は、例えば、お気に入りのページを選択するページタグｂ６，ｂ７，ｂ８を含む。情報提供装置１は、ページ毎に、商品のカテゴリや使用時期に応じて分類した複数の商品画像をユーザ端末装置３の出力部３４に表示させる。
【００９５】
例えば、情報提供装置１は、図８に示すように、１ページが選択される場合、ユーザ端末装置３のユーザがお気に入りに登録した複数の商品のうち、夏服に分類された商品の画像集を１ページに表示させる。
【００９６】
これにより、情報提供装置１は、複数種類の商品画像が雑然と一覧表示される一般的なお気に入りのコンテンツに比べて、ユーザが所望の商品を容易に見つけ出すことができるお気に入りのコンテンツＣ３を提供することができる。
【００９７】
なお、情報提供装置１は、お気に入りに登録される商品の数が所定の閾値以上になった場合に、商品の分類を行う。ここでの閾値は、例えば、お気に入りのコンテンツＣ３の１ページに表示可能な商品数とする。これにより、情報提供装置１は、例えば、あるカテゴリの商品が１点や２点しかなく、商品を分類しなくても、ユーザが所望の商品を容易に見つけ出すことができる場合に、無駄にページを増やすことを防止することができる。
【００９８】
また、情報提供装置１は、お気に入りに登録される商品の商品情報に含まれる複数の情報のうち、商品画像を選択的に各ページに表示させ、商品画像以外の情報についてはページに表示させない。これにより、情報提供装置１は、各ページの領域を有効に使用して、商品画像集をユーザに閲覧させることができる。また、ユーザは、商品の情報として最も知りたい商品の画像だけを閲覧することができ、その他の詳細な情報については、閲覧しなくてもよくなるので、ページを閲覧する場合の煩わしさが低減される。
【００９９】
また、情報提供装置１は、各ページにおいて、ユーザがお気に入りに登録した際の商品に対するユーザの関心度合いが高い商品画像ほど、表示サイズを大きくして表示させる。図８に示す例では、情報提供装置１は、ユーザの関心度が高であった夏服の商品大画像ｐ９ｗと、ユーザの関心度が中であった夏服の商品中画像ｐ１０と、ユーザの関心度が低であった夏服の商品小画像ｐ１１させている。これによっても、情報提供装置１は、ユーザが所望の関心度の高かった商品を容易に見つけ出すことができるお気に入りのコンテンツＣ３を提供することができる。
【０１００】
また、情報提供装置１は、ユーザによって、商品が新たにお気に入りに登録される度に、お気に入り内の商品画像の画像サイズを変更する。例えば、情報提供装置１は、商品が新たにお気に入りに登録される場合に、既にお気に入りに登録されている商品画像の表示面積を数％程度小さくする。これにより、情報提供装置１は、商品が新たにお気に入りに登録される度に、新鮮さが低下する商品画像が表示される画像サイズを自動的に小さくすることができる。
【０１０１】
また、情報提供装置１は、ユーザによって商品がお気に入りに登録されてからの経過時間に応じて、その商品の商品画像の画像サイズを変更する。例えば、情報提供装置１は、登録からの経過時間が長くなるほど、商品画像の表示面積を小さくする。これにより、情報提供装置１は、何年も前にお気に入り登録され、登録時にユーザの関心度が高かった商品画像が何時までも大きな表示サイズで表示されることを抑制することができる。
【０１０２】
また、情報提供装置１は、ユーザによって同一の商品画像が選択される回数に応じて、その商品画像の画像サイズを変更する。例えば、情報提供装置１は、ユーザによって同一の商品画像が選択されて閲覧される回数が多くなるほど、商品画像の表示面積を大きくする。
【０１０３】
これにより、情報提供装置１は、お気に入りへの登録時期が何年も前であっても、ユーザの関心度が依然として高く、ユーザが何度も閲覧するような商品画像については、比較的大きな表示面積で表示させることができる。したがって、ユーザは、お気に入りのコンテンツＣ３から所望の商品を容易に見つけ出すことができる。
【０１０４】
また、情報提供装置１は、画像サイズが大きな商品画像ほど、各ページの先頭に近い位置に表示させる。例えば、情報提供装置１は、表示面積の大きな商品画像ほど、ページの左上に近い位置に表示させる。これにより、ユーザは、お気に入りのコンテンツＣ３から所望の商品をより容易に見つけ出すことができる。
【０１０５】
また、お気に入りのコンテンツＣ３は、入替ボタンｂ９、削除ボタンｂ１０、分類指定入力欄ｂ１１、リセットボタンｂ１２、読込ボタンｂ１３、および公開ボタンｂ１４を含む。入替ボタンｂ９は、例えば、各ページの商品画像の並び順を入れ替えるためのボタンである。ユーザは、入替ボタンｂ９を順次選択操作することによって、商品画像の並び順を、例えば、価格の安い順や高い順、他のユーザの評価の高い順等に変更することができる。
【０１０６】
削除ボタンｂ１０は、各商品画像をお気に入りのコンテンツＣ３から個別に削除するためにユーザが選択操作するボタンである。分類指定入力欄ｂ１１は、ユーザが所望する商品のカテゴリを入力して決定操作を行うことによって、表示中のページを決定操作したカテゴリのページに遷移させる入力欄である。
【０１０７】
リセットボタンｂ１２は、お気に入りのコンテンツＣ３内の全ての商品画像を消去してリセットするためにユーザが選択操作するボタンである。読込ボタンｂ１３は、お気に入りのコンテンツＣ３内の商品画像を最新の状態に更新するためにユーザが選択操作するボタンである。
【０１０８】
また、情報提供装置１は、ユーザが望む場合に、各ユーザのお気に入りのコンテンツＣ３を他のユーザに公開することができる。公開ボタンｂ１４は、ユーザが自身のお気に入りのコンテンツＣ３を他のユーザに公開するために選択操作するボタンである。次に、かかるコンテンツＣ３の公開手順について説明する。
【０１０９】
［８．お気に入りコンテンツの公開］
図９は、実施形態に係るお気に入りのコンテンツＣ３の公開手順を示す説明図である。ここでは、ユーザ端末装置３のユーザが、例えば、最近人気のＳｅｌｅｃｔＳｈｏｐ○○のＡさんである場合について説明する。
【０１１０】
Ａさんは、自身のお気に入りのコンテンツＣ３を他のユーザに公開する場合、図９に示す情報提供システム１００ａのように、ユーザ端末装置３を通信ネットワークＮを介してＳＮＳ（Social  Networking  Service）サーバ装置４に接続する。ＳＮＳサーバ装置４は、例えば、ＳＮＳを提供するウェブサーバ等である。
【０１１１】
そして、Ａさんは、図８に示したコンテンツＣ３内の公開ボタンｂ１４を選択操作する。これにより、ＳＮＳサーバ装置４に、Ａさんのお気に入りのコンテンツがお気に入り情報としてアップロードされる。
【０１１２】
ＳｅｌｅｃｔＳｈｏｐ○○やＡさんに関心のある複数のユーザは、それぞれの端末装置４−１〜４−ｎ（ｎは、任意の自然数）を通信ネットワークＮを介してＳＮＳサーバに接続することによって、Ａさんのお気に入り情報を取得することができる。こうして、Ａさんのお気に入り情報が公開の状態になる。
【０１１３】
これにより、例えば、Ａさんは、自己顕示欲を満たすことができる。また、他のユーザは、最近人気のお店の店員さんが関心を持っている商品の情報を閲覧することができる。これにより、情報提供装置１からショッピングサイトのコンテンツＣ１を配信する配信者や、店舗サーバ装置２から店舗コンテンツＣ２を配信する配信者は、ショッピングサイトの利用者でないユーザに対しても、労せずして、商品を紹介することができる。
【０１１４】
また、ＳＮＳサーバ装置４は、例えば、Ａさんのお気に入り情報に含まれる各商品画像について、端末装置４−１〜４−ｎに対して、評価を要求してもよい。この場合、情報提供装置１は、例えば、各商品画像に関する評価として、高、中、低という３段階の評価結果をＳＮＳサーバ装置４から取得し、評価に応じてＡさんのお気に入りのコンテンツＣ３内の商品画像の画像サイズを変更する。
【０１１５】
例えば、情報提供装置１は、Ａさんのお気に入りのコンテンツＣ３内の商品画像のうち、評価が高となった商品画像の画像サイズを１０％程度拡大し、評価が低となった商品画像の画像サイズを１０％程度縮小する。なお、情報提供装置１は、他のユーザによる評価を反映したお気に入り情報と、他のユーザの評価を反映しないお気に入り情報とを記憶しておき、Ａさんによって選択される方のお気に入りのコンテンツＣ３をＡさんのユーザ端末装置３へ配信してもよい。
【０１１６】
このように、情報提供装置１は、他のユーザの評価をＡさんのお気に入りのコンテンツＣ３に反映できるようにすることで、Ａさんのお気に入り情報に対する他のユーザの興味を高めることができる。これにより、情報提供装置１は、商品画像を閲覧するユーザ数をさらに増大させることができる。
【０１１７】
［９．情報提供装置の処理フロー］
次に、図１０を参照し、実施形態に係る情報提供装置１の制御部１２が実行する処理の手順について説明する。図１０は、実施形態に係る情報提供装置１の制御部１２が実行する処理を示すフローチャートである。
【０１１８】
図１０に示すように、制御部１２は、ユーザ端末装置３からコンテンツの配信要求を受け付けたか否かを判定する（ステップＳ１０１）。そして、制御部１２は、コンテンツの配信要求を受け付けていないと判定した場合（ステップＳ１０１，Ｎｏ）コンテンツの配信要求を受け付けるまでステップＳ１０１の判定処理を繰り返す。
【０１１９】
また、制御部１２は、コンテンツの配信要求を受け付けたと判定した場合（ステップＳ１０１，Ｙｅｓ）、ユーザ端末装置３へショッピングサイトのコンテンツＣ１（図７の（ａ）参照）を配信する（ステップＳ１０２）。
【０１２０】
続いて、制御部１２は、ユーザ端末装置３で商品画像の選択操作があったか否かを判定する（ステップＳ１０３）。そして、制御部１２は、商品画像の選択操作なしと判定した場合（ステップＳ１０３，Ｎｏ）、ユーザ端末装置３でお気に入り表示操作があったか否かを判定する（ステップＳ１１４）。
【０１２１】
制御部１２は、お気に入り表示操作なしと判定した場合（ステップＳ１１４，Ｎｏ）、処理をステップＳ１１７へ移す。また、制御部１２は、お気に入り表示操作ありと判定した場合（ステップＳ１１４，Ｙｅｓ）、お気に入り内の各商品画像サイズを、お気に入りへの登録時期に応じたサイズに決定する（ステップＳ１１５）。
【０１２２】
その後、制御部１２は、お気に入りのコンテンツ（図８参照）をユーザ端末装置３へ配信し（ステップＳ１１６）、ユーザ端末装置３からコンテンツ配信停止要求を受け付けたか否かを判定する（ステップＳ１１７）。
【０１２３】
そして、制御部１２は、コンテンツ配信停止要求を受け付けたと判定した場合（ステップＳ１１７，Ｙｅｓ）、処理を終了する。また、制御部１２は、コンテンツ配信停止要求を受け付けていないと判定した場合（ステップＳ１１７，Ｎｏ）、処理をステップＳ１０２へ移す。
【０１２４】
また、ステップＳ１０３において、制御部１２は、商品画像の選択操作ありと判定した場合（ステップＳ１０３，Ｙｅｓ）、ユーザ端末装置３へ店舗コンテンツ（図７の（ｂ）参照）を配信する（ステップＳ１０４）。
【０１２５】
続いて、制御部１２は、お気に入り追加操作があったか否かを判定する（ステップＳ１０５）。そして、制御部１２は、お気に入り追加操作なしと判定した場合（ステップＳ１０５，Ｎｏ）、購入操作があったか否かを判定する（ステップＳ１１８）。
【０１２６】
そして、制御部１２は、購入操作ありと判定した場合（ステップＳ１１８，Ｙｅｓ）、所定の商品購入処理を行い（ステップＳ１１９）、処理をステップＳ１１２へ移す。商品購入処理では、制御部１２は、店舗サーバ装置２に対して、購入操作によって選択された商品の購入ページの取得要求を送信し、店舗サーバ装置２から商品の購入ページを取得してユーザ端末装置３の出力部３４に表示させる。
【０１２７】
そして、制御部１２は、ユーザによって商品購入ページに商品購入のための所定事項が入力されると、入力された所定事項を店舗サーバ装置２へ送信する。店舗サーバ装置２は、ユーザ端末装置３から商品購入のための所定事項を受信すると、決済処理を行った後、ユーザへ商品を発送する発送処理を行う。
【０１２８】
また、ステップＳ１１８において、制御部１２は、購入操作なしと判定した場合（ステップＳ１１８，Ｎｏ）、ステップＳ１０３で選択された商品がお気に入り登録済み商品か否かの判定を行う（ステップＳ１２０）。
【０１２９】
そして、制御部１２は、お気に入り追加済み商品と判定した場合（ステップＳ１２０，Ｙｅｓ）、ステップＳ１０３で選択された商品のお気に入り内の商品画像サイズを、その商品の閲覧回数に応じたサイズに決定する（ステップＳ１２１）。
【０１３０】
そして、制御部１２は、決定した商品画像サイズをお気に入り情報記憶部１３に登録して処理をステップＳ１１２へ移す。また、制御部１２は、お気に入り登録済み商品でないと判定した場合（ステップＳ１２０，Ｎｏ）、処理をステップＳ１１２へ移す。
【０１３１】
また、ステップＳ１０５において、制御部１２は、お気に入り追加操作ありと判定した場合（ステップＳ１０５，Ｙｅｓ）、ユーザ端末装置３によってお気に入り操作が行われた商品の商品情報を店舗サーバ装置２から取得する（ステップＳ１０６）。
【０１３２】
続いて、制御部１２は、店舗サーバ装置２から取得した商品情報をお気に入り情報記憶部１３に登録する（ステップＳ１０７）。さらに、制御部１２は、ユーザ端末装置３からユーザによって入力された関心度情報を取得し（ステップＳ１０８）、お気に入り内の商品画像サイズをユーザの関心度に応じたサイズに決定し（ステップＳ１０９）、お気に入り情報記憶部１３に登録する。
【０１３３】
続いて、制御部１２は、お気に入りに登録された商品数であるお気に入り数が所定の閾値以上になったか否かを判定する（ステップＳ１１０）。そして、制御部１２は、お気に入り数が閾値以上になっていないと判定した場合（ステップＳ１１０，Ｎｏ）、処理をステップＳ１１２へ移す。
【０１３４】
また、制御部１２は、お気に入り数が閾値以上になったと判定した場合（ステップＳ１１０，Ｙｅｓ）、お気に入り内の商品をカテゴリおよび使用時期に応じて分類する（ステップＳ１１１）。続いて、制御部１２は、戻り操作があったか否かを判定する（ステップＳ１１２）。
【０１３５】
そして、制御部１２は、戻り操作ありと判定した場合（ステップＳ１１２，Ｙｅｓ）、処理をステップＳ１０２へ移し、ユーザ端末装置３の表示画面をショッピングサイトのコンテンツＣ１に戻す（図７の（ａ）参照）。
【０１３６】
また、制御部１２は、戻り操作なしと判定した場合（ステップＳ１１２，Ｎｏ）、コンテンツ配信停止要求を受け付けたか否かを判定する（ステップＳ１１３）。そして、制御部１２は、コンテンツ配信停止要求を受け付けていないと判定した場合（ステップＳ１１３，Ｎｏ）、処理をステップＳ１０４へ移す。また、制御部１２は、コンテンツ配信停止要求を受け付けたと判定した場合（ステップＳ１１３，Ｙｅｓ）、処理を終了する。
【０１３７】
［１０．装置構成］
また、上記実施形態では、情報提供システム１００、１００ａに、情報提供装置１と店舗サーバ装置２とが含まれる例を示したが、情報提供装置１と店舗サーバ装置２とは１個の装置として形成されてもよい。
【０１３８】
この場合、図３に示した情報提供装置１は、例えば、図５に示した商品情報記憶部２３を有する。そして、情報提供装置１は、ユーザ端末装置３からコンテンツの取得要求を受け付けた場合に、商品情報記憶部２３から抽出した商品情報とともに、画像取得命令を含まないコンテンツをユーザ端末装置３に配信する。
【０１３９】
また、上記実施形態では、店舗サーバ装置２からユーザ端末装置３に商品情報が配信される例を示したが、情報提供装置１が、店舗サーバ装置２から商品情報を取得してもよい。この場合、店舗サーバ装置２の受付部２４は、情報提供装置１から商品情報の取得要求を受け付ける。また、店舗サーバ装置２の配信部２５は、情報提供装置１に商品情報を配信する。また、情報提供装置１の配信部１８は、店舗サーバ装置２から取得した商品情報とともに、画像取得命令を含まないコンテンツをユーザ端末装置３に配信する。
【０１４０】
［１１．その他］
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図６に示した要求部３５および受付部３６は統合されてもよい。
【０１４２】
また、図８に示したお気に入りのコンテンツＣ３の表示例は一例であり、種々の変形が可能である。例えば、情報提供装置１は、お気に入りのコンテンツＣ３内に表示させる表示サイズが大きな商品画像ほど表示濃度を濃く、表示サイズが小さな商品画像ほど表示濃度を薄くして表示させてもよい。
【０１４３】
また、情報提供装置１は、お気に入りのコンテンツＣ３内に表示させる表示サイズが大きな商品画像ほど解像度を高く、表示サイズが小さな商品画像ほど解像度を低くして表示させてもよい。
【０１４４】
また、上述してきた各実施形態は、処理内容を矛盾させない範囲で適宜組み合わせることが可能である。
【０１４５】
［１２．ハードウェア構成］
また、上述してきた実施形態に係る情報提供装置１、店舗サーバ装置２、およびユーザ端末装置３は、例えば図１１に示すような構成のコンピュータ５によって実現される。以下、情報提供装置１を例に挙げて説明する。図１１は、情報提供装置１の機能を実現するコンピュータ５の一例を示すハードウェア構成図である。コンピュータ５は、ＣＰＵ５１、ＲＡＭ５２、ＲＯＭ５３、ＨＤＤ５４、通信インターフェイス（Ｉ／Ｆ）５５、入出力インターフェイス（Ｉ／Ｆ）５６、およびメディアインターフェイス（Ｉ／Ｆ）５７を有する。
【０１４６】
ＣＰＵ５１は、ＲＯＭ５３またはＨＤＤ５４に格納されたプログラムに基づいて動作し、各部の制御を行う。ＲＯＭ５３は、コンピュータ５の起動時にＣＰＵ５１によって実行されるブートプログラムや、コンピュータ５のハードウェアに依存するプログラム等を格納する。
【０１４７】
ＨＤＤ５４は、ＣＰＵ５１によって実行されるプログラム、および、かかるプログラムによって使用されるデータ等を格納する。通信インターフェイス５５は、通信ネットワーク（図２に示した通信ネットワークＮに対応）を介して他の機器からデータを受信してＣＰＵ５１へ送り、ＣＰＵ５１が生成したデータを通信ネットワークＮを介して他の機器へ送信する。
【０１４８】
ＣＰＵ５１は、入出力インターフェイス５６を介して、ディスプレイやプリンタ等の出力装置、および、キーボードやマウス等の入力装置を制御する。ＣＰＵ５１は、入出力インターフェイス５６を介して、入力装置からデータを取得する。また、ＣＰＵ５１は、生成したデータを入出力インターフェイス５６を介して出力装置へ出力する。
【０１４９】
メディアインターフェイス５７は、記録媒体５８に格納されたプログラムまたはデータを読み取り、ＲＡＭ５２を介してＣＰＵ５１に提供する。ＣＰＵ５１は、かかるプログラムを、メディアインターフェイス５７を介して記録媒体５８からＲＡＭ５２上にロードし、ロードしたプログラムを実行する。記録媒体５８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５０】
例えば、コンピュータ５が実施形態に係る情報提供装置１として機能する場合、コンピュータ５のＣＰＵ５１は、ＲＡＭ５２上にロードされたプログラムを実行することにより、制御部１２の機能を実現する。また、ＨＤＤ５４には、お気に入り情報記憶部１３およびコンテンツ記憶部１４内のデータが格納される。コンピュータ５のＣＰＵ５１は、これらのプログラムを記録媒体５８から読み取って実行するが、他の例として、他の装置から通信ネットワークＮを介してこれらのプログラムを取得してもよい。
【０１５１】
なお、コンピュータ５が実施形態に係る店舗サーバ装置２として機能する場合、コンピュータ５のＣＰＵ５１は、ＲＡＭ５２上にロードされたプログラムを実行することにより、制御部２２の機能を実現する。
【０１５２】
なお、コンピュータ５が実施形態に係るユーザ端末装置３として機能する場合、コンピュータ５のＣＰＵ５１は、ＲＡＭ５２上にロードされたプログラムを実行することにより、制御部３２の機能を実現する。
【０１５３】
［１３．効果］
上述したように、実施形態に係る情報提供装置は、取得部と、表示制御部とを備える。取得部は、通信ネットワークに接続されるショッピングサイトのコンテンツに含まれる複数の商品画像の中から、端末装置のユーザによって選択された複数の商品画像に関する情報を取得する。表示制御部は、ユーザによって選択された各商品画像を商品画像中の商品に対するユーザの関心度合いに応じたサイズにした画像集情報を端末装置に表示させる。
【０１５４】
これにより、実施形態に係る情報提供装置は、ユーザが登録した複数の商品の中から所望の商品を容易に見つけ出すことが可能な情報を提供することができる。
【０１５５】
また、実施形態に係る取得部は、ユーザによって入力される関心度合いを示す情報を取得する。これにより、実施形態に係る情報提供装置は、商品に対するユーザの正確な関心度合いを商品画像集における商品画像のサイズに反映することができる。
【０１５６】
また、実施形態に係る表示制御部は、ユーザによって商品画像が選択される度に、画像集情報における商品画像のサイズを変更する。これにより、実施形態に係る情報提供装置は、例えば、端末装置のユーザによって新たに商品が選択される度に、商品画像情報内で新鮮さが低下する商品画像が表示される画像サイズを自動的に小さくすることができる。
【０１５７】
また、実施形態に係る表示制御部は、ユーザによって商品画像が選択されてからの経過時間に応じて、商品画像の画像集情報におけるサイズを変更する。これにより、実施形態に係る情報提供装置は、例えば、何年も前にユーザによって選択され、選択当時にユーザの関心度が高かった商品画像が何時までも大きな表示サイズで表示されることを抑制することができる。
【０１５８】
また、実施形態に係る表示制御部は、ユーザによって同一の商品画像が選択される回数に応じて、商品画像の画像集情報におけるサイズを変更する。これにより、実施形態に係る情報提供装置は、例えば、ユーザによって商品画像が選択された時期が何年も前であっても、ユーザの関心度が依然として高く、ユーザが何度も選択して閲覧するような商品画像については、比較的大きな表示面積で表示させることができる。
【０１５９】
また、実施形態に係る表示制御部は、ユーザによって選択された複数の商品画像をカテゴリ毎に分類し、カテゴリ毎の画像集情報を端末装置によって表示させる。これにより、実施形態に係る情報提供装置は、複数種類の商品画像が雑然と一覧表示される一般的なお気に入りのコンテンツに比べて、ユーザが所望の商品を容易に見つけ出すことができる画像集情報を提供することができる。
【０１６０】
また、実施形態に係る表示制御部は、ユーザによって選択された商品画像の数が所定数に達した場合に、複数の商品画像をカテゴリ毎に分類する。これにより、実施形態に係る情報提供装置は、例えば、あるカテゴリの商品画像が１点や２点しかなく、商品画像を分類しなくても、ユーザが所望の商品を容易に見つけ出すことができる場合に、無駄に商品を分類することを防止することができる。
【０１６１】
また、実施形態に係る表示制御部は、通信ネットワークを介して、画像集情報をユーザ以外のユーザの端末装置に表示させる。これにより、ショッピングサイトによってコンテンツを配信する配信者は、ショッピングサイトの利用者でないユーザに対しても、労せずして、商品を紹介することができる。
【０１６２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１６３】
また、上述してきた「部（section、module、unit）」は、「手段」や「回路」などに読み替えることができる。例えば、配信部は、配信手段や配信回路に読み替えることができる。
【符号の説明】
【０１６４】
１  情報提供装置
２  店舗サーバ装置
３  ユーザ端末装置
４  ＳＮＳサーバ装置
４−１〜４−ｎ  端末装置
１１  通信部
１２  制御部
１３  お気に入り情報記憶部
１４  コンテンツ記憶部
１５  受付部
１６  取得部
１７  表示制御部
１８  配信部
２１  通信部
２２  制御部
２３  商品情報記憶部
２４  受付部
２５  配信部
３１  通信部
３２  制御部
３３  入力部
３４  出力部
３５  要求部
３６  受付部
３７  表示制御部
５１  ＣＰＵ
５２  ＲＡＭ
５３  ＲＯＭ
５４  ＨＤＤ
５５  通信インターフェイス
５６  入出力インターフェイス
５７  メディアインターフェイス
５８  記録媒体
１００，１００ａ  情報提供システム
Ｎ  通信ネットワーク
【図１】
2018049322.tif 000003
【図２】
2018049322.tif 000004
【図３】
2018049322.tif 000005
【図４】
2018049322.tif 000006
【図５】
2018049322.tif 000007
【図６】
2018049322.tif 000008
【図７】
2018049322.tif 000009
【図８】
2018049322.tif 000010
【図９】
2018049322.tif 000011
【図１０】
2018049322.tif 000012
【図１１】
2018049322.tif 000013